(57)【特許請求の範囲】
【請求項１】
下記平均組成式（１）で表されるブロック型オルガノポリシロキサン。
【化１】
0005841488.tif 000043
（上記平均組成式（１）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｒ３は水素原子、又は炭素数１〜４の一価の炭化水素基であり、Ｘは、炭素数２〜１５個の２価炭化水素基、ｎは１以上の整数であり、ｍは１以上の整数であり、ｓは０〜１００の整数であり、ｔは０〜５０の整数であり、ｚは０〜５０の整数であり、ｓ＋ｔ＋ｚ≧１であり、Ｒ４はそれぞれ独立に、水素原子、水酸基、アルコキシ基、又は、下記一般式（２）で表される有機基である。）
【化２】
0005841488.tif 000044
（上記一般式（２）中、Ｒ２は水素原子、炭素数１〜１５の１価の炭化水素基、及び炭素数２〜７の１価のアシル基のいずれかであり、Ｒ３は水素原子、又は炭素数１〜４の一価の炭化水素基であり、Ｘは、炭素数２〜１５個の２価炭化水素基、ｓは０〜１００の整数であり、ｔは０〜５０の整数であり、ｚは０〜５０の整数であり、Ｙは水素原子、または炭素−炭素２重結合を持つ炭素数２〜１５個の１価炭化水素基である。）
【請求項２】
下記平均組成式（３）で表される請求項１に記載のブロック型オルガノポリシロキサン。
【化３】
0005841488.tif 000045
（上記平均組成式（３）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｘ”は−（ＣＨ２）３−、又は−ＣＨ２ＣＨ（ＣＨ３）ＣＨ２−であり、ｎ’は１〜２０００の整数であり、ｍ’は１〜１０００の整数であり、ｓ’は１〜１００の整数であり、ｔ’は０〜５０の整数であり、ｚ’は０〜５０の整数であり、ｓ’＋ｔ’＋ｚ’≧１であり、Ｒ５はそれぞれ独立に、水素原子、水酸基、炭素数１〜６のアルコキシ基、又は、下記一般式（４）で表される有機基である。）
【化４】
0005841488.tif 000046
（上記一般式（４）中、Ｒ２は水素原子、炭素数１〜１５の１価の炭化水素基、及び炭素数２〜７の１価のアシル基のいずれかであり、Ｘ”は−（ＣＨ２）３−、又は−ＣＨ２ＣＨ（ＣＨ３）ＣＨ２−であり、ｓ’は１〜１００の整数であり、ｔ’は０〜５０の整数であり、ｚ’は０〜５０の整数であり、Ｙ’は水素原子、−ＣＨ２−ＣＨ＝ＣＨ２、−ＣＨ＝ＣＨ−ＣＨ３、−ＣＨ２−Ｃ（ＣＨ３）＝ＣＨ２、又は−ＣＨ＝Ｃ（ＣＨ３）２である。）
【請求項３】
請求項１又は請求項２に記載のブロック型オルガノポリシロキサンを含有するものであることを特徴とする化粧料。
【請求項４】
前記化粧料が、水、シリコーンオイル、エステル油、及びグリセライド油のいずれか、又はこれらの混合物をさらに含有するものであり、エマルジョンの形態であることを特徴とする請求項３に記載の化粧料。
【請求項５】
請求項１又は請求項２に記載のブロック型オルガノポリシロキサンを界面活性剤として使用することを特徴とするブロック型オルガノポリシロキサンの使用方法。
【請求項６】
請求項１又は請求項２に記載のブロック型オルガノポリシロキサンの製造方法であって、下記一般式（５）で表される両末端ハイドロジェンオルガノポリシロキサンと下記一般式（６）で表される化合物を遷移金属触媒存在下で反応させることを特徴とするブロック型オルガノポリシロキサンの製造方法。
【化５】
0005841488.tif 000047
（上記一般式（５）中、Ｒ１、及びｎは前記と同じである。）
【化６】
0005841488.tif 000048
（上記一般式（６）中、Ｘ’は、末端に炭素−炭素２重結合を持つ炭素数２〜１５個の１価炭化水素基、Ｒ２、Ｒ３、ｓ、ｔ、ｚは前記と同じであり、ｓ＋ｔ＋ｚ≧１である。）
【請求項７】
前記遷移金属触媒として白金又はロジウムを用いることを特徴とする請求項６に記載のブロック型オルガノポリシロキサンの製造方法。
【発明の詳細な説明】
【技術分野】
【０００１】
本発明は、新規オルガノポリシロキサン、該オルガノポリシロキサンの使用方法、前記オルガノポリシロキサンを含む化粧料、及び前記オルガノポリシロキサンの製造方法に関する。
【背景技術】
【０００２】
シリコーン油は、化粧料のべたつきや油性感を軽減させるために、化粧品用油剤として積極的に配合されている。一方で、このシリコーン油は、肌馴染みが悪い、しっとり感が不足するなどの欠点も多く抱えていた。これらの問題を解決するために、ジメチルポリシロキサンに親水基としてポリエーテル基を導入することにより、オルガノポリシロキサンに界面活性能や感触改善の機能を付与するなどの検討がなされてきた（特許文献１）。
【０００３】
しかしながら、このようなシリコーンは、構造設計は容易であるものの、シリコーン重合度が高いものの場合、未反応ポリエーテルが残る問題や界面活性能に問題があり、化粧料の安定性を保持できない場合があった。さらに、シリコーンに分岐構造を導入し乳化系を安定化させる試みもなされているが、分岐構造を導入するための製造方法が煩雑であり、簡便に製造することが出来なかった（特許文献２）。
【０００４】
また、シリコーン単位およびポリオキシエチレン単位が交互に結合した（ＡＢ）ｎ型のオルガノポリシロキサン共重合体が提案されている（特許文献３〜５）。これらの交互共重合体は、未反応オルガノポリシロキサン、未反応ポリエーテル原料の残留量を減少させることができる利点がある。ただ、このような直鎖状の繰り返し単位構造を有するシリコーンは、化粧品に配合した際、重さやべたついた感触を与えてしまう場合があった。
【０００５】
さらに、シリコーン単位およびポリオキシエチレン単位等のポリエーテル単位が、２個または３個のみ結合してなるＡＢ型またはＡＢＡ型のオルガノポリシロキサン共重合体が提案されているが、界面活性剤としての乳化安定性は不十分であった（特許文献６〜９）。このように、界面活性剤および化粧料原料としてより有用なオルガノポリシロキサン共重合体として、更なる改良が求められていた。
【先行技術文献】
【特許文献】
【０００６】
【特許文献１】特開昭６１−１２３６３５号公報
【特許文献２】特開２００２−１７９７９７号公報
【特許文献３】特開平４−２１１６０５号公報
【特許文献４】特開平４−２３４３０７号公報
【特許文献５】特開平５−１６３４３６号公報
【特許文献６】特開２００５−３４４０７６号公報
【特許文献７】特開昭６２−１９５３８９号公報
【特許文献８】特表２００９−５１１７１０号公報
【特許文献９】特表２００９−５１１７１２号公報
【発明の概要】
【発明が解決しようとする課題】
【０００７】
本発明は、上記事情に鑑みなされたもので、乳化安定性、経時安定性に優れ、また、軽い感触を与え、べたつきのない、化粧持続性の良好な化粧料を与えることができるオルガノポリシロキサンを提供することを目的とする。
【課題を解決するための手段】
【０００８】
上記課題を解決するために、本発明によれば、下記平均組成式（１）で表されるブロック型オルガノポリシロキサンを提供する。
【化１】
0005841488.tif 000002
（上記平均組成式（１）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｒ３は水素原子、又は炭素数１〜４の一価の炭化水素基であり、Ｘは、炭素数２〜１５個の２価炭化水素基、ｎは１以上の整数であり、ｍは１以上の整数であり、ｓは０〜１００の整数であり、ｔは０〜５０の整数であり、ｚは０〜５０の整数であり、Ｒ４はそれぞれ独立に、水素原子、水酸基、アルコキシ基、又は、下記一般式（２）で表される有機基である。）
【化２】
0005841488.tif 000003
（上記一般式（２）中、Ｘ、Ｒ２、Ｒ３、ｓ、ｔ、及びｚは前記と同じであり、Ｙは水素原子、または炭素−炭素２重結合を持つ炭素数２〜１５個の１価炭化水素基である。）
【０００９】
このような特定の構造を持つブロック型オルガノポリシロキサンは、ポリシロキサン部位と親水部位のブロック構造であり、親水基のポリエーテル鎖が、直鎖状にあるのではなく、ペンダント型で存在することを特徴とし、これを含むことで、乳化安定性、経時安定性に優れ、軽い感触であり、べたつきのない、化粧持続性の良好な化粧料を与えることができる。
【００１０】
また、前記ブロック型オルガノポリシロキサンは、下記平均組成式（３）に示される化合物であることが好ましい。
【化３】
0005841488.tif 000004
（上記平均組成式（３）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｘ”は−（ＣＨ２）３−、又は−ＣＨ２ＣＨ（ＣＨ３）ＣＨ２−であり、ｎ’は１〜２０００の整数であり、ｍ’は１〜１０００の整数であり、ｓ’は１〜１００の整数であり、ｔ’は０〜５０の整数であり、ｚ’は０〜５０の整数であり、Ｒ５はそれぞれ独立に、水素原子、水酸基、炭素数１〜６のアルコキシ基、又は、下記一般式（４）で表される有機基である。）
【化４】
0005841488.tif 000005
（上記一般式（４）中、Ｘ”、Ｒ２、ｓ’、ｔ’、及びｚ’は前記と同じであり、Ｙ’は水素原子、−ＣＨ２−ＣＨ＝ＣＨ２、−ＣＨ＝ＣＨ−ＣＨ３、−ＣＨ２−Ｃ（ＣＨ３）＝ＣＨ２、又は−ＣＨ＝Ｃ（ＣＨ３）２である。）
【００１１】
このように前期ブロック型オルガノポリシロキサンは、上記平均組成式（３）で表される化合物であることが好ましく、このような特定の構造を持つブロック型オルガノポリシロキサンであれば、容易に製造でき、製造コストも抑えることができる。
【００１２】
また、本発明では、前記ブロック型オルガノポリシロキサンを含有するものであることを特徴とする化粧料を提供する。
【００１３】
本発明の化粧料は、上記本発明のブロック型オルガノポリシロキサンを含有することで、乳化安定性、経時安定性に優れ、軽い感触であり、べたつきのない、化粧持続性の良好な化粧料となる。
【００１４】
また、前記化粧料は、水、シリコーンオイル、エステル油、及びグリセライド油のいずれか、又はこれらの混合物をさらに含有するものであり、エマルジョンの形態とすることができる。
【００１５】
上記のように、本発明の化粧料は、用途に応じて、様々な形態の化粧料とすることができる。
【００１６】
また、本発明では、前記ブロック型オルガノポリシロキサンを界面活性剤として使用することを特徴とするブロック型オルガノポリシロキサンの使用方法を提供する。
【００１７】
本発明のブロック型オルガノシロキサンは界面活性剤として乳化安定性、経時安定性に優れており、例えば化粧料の配合に使用することで該化粧料に乳化安定性、経時安定性を与えることができる。
【００１８】
また、本発明では、前記ブロック型オルガノポリシロキサンの製造方法であって、下記一般式（５）で表される両末端ハイドロジェンオルガノポリシロキサンと下記一般式（６）で表される化合物を遷移金属触媒存在下で反応させることを特徴とするブロック型オルガノポリシロキサンの製造方法を提供する。
【化５】
0005841488.tif 000006
（上記一般式（５）中、Ｒ１、及びｎは前記と同じである。）
【化６】
0005841488.tif 000007
（上記一般式（６）中、Ｘ’は、末端に炭素−炭素２重結合を持つ炭素数２〜１５個の１価炭化水素基、Ｒ２、Ｒ３、ｓ、ｔ、ｚは前記と同じである。）
【００１９】
上記製造方法であれば、反応温度、及び反応時間が特に限定されず、幅広い条件で製造を行うことができる。
【００２０】
また、この場合、前記遷移金属触媒として白金又はロジウムを用いることができる。
【００２１】
上記遷移金属触媒を用いることで、重合反応を低温域で行うことができる。
【発明の効果】
【００２２】
本発明のブロック型オルガノポリシロキサンは乳化安定性、経時安定性に優れ、化粧持続性の良好な化粧料を提供することができる。
【発明を実施するための形態】
【００２３】
以下、本発明について更に詳細に説明する。
新規ブロック型オルガノポリシロキサン
本発明によれば、下記平均組成式（１）で表されるブロック型オルガノポリシロキサンが提供される。
【化７】
0005841488.tif 000008
（上記平均組成式（１）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｒ３は水素原子、又は炭素数１〜４の一価の炭化水素基であり、Ｘは、炭素数２〜１５個の２価炭化水素基、ｎは１以上の整数であり、ｍは１以上の整数であり、ｓは０〜１００の整数であり、ｔは０〜５０の整数であり、ｚは０〜５０の整数であり、Ｒ４はそれぞれ独立に、水素原子、水酸基、アルコキシ基、又は、下記一般式（２）で表される有機基である。）
【化８】
0005841488.tif 000009
（上記一般式（２）中、Ｘ、Ｒ２、Ｒ３、ｓ、ｔ、及びｚは前記と同じであり、Ｙは水素原子、または炭素−炭素２重結合を持つ炭素数２〜１５個の１価炭化水素基である。）
【００２４】
上記平均組成式（１）において、Ｒ１としては、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基、フェニル基、トリル基、ベンジル基、フェネチル基等のアリール基が挙げられる。好ましくはメチル基、フェニル基である。さらに、Ｒ１の５０％以上がメチル基であることが好ましく、最も好ましくはＲ１の７０％以上がメチル基である。Ｒ２としては、水素原子、メチル基、エチル基、プロピル基、ブチル基、ペンチル基、ヘキシル基等のアルキル基、フェニル基等のアリール基、アセチル基、プロピオニル基、ベンゾイル基等のアシル基等であり、Ｒ３としては、メチル基、エチル基、プロピル基、ブチル基が挙げられ、好ましくはエチル基である。Ｒ４としては、水素原子、水酸基、メトキシ基、エトキシ基、ｎ−プロポキシ基、ブトキシ基等のアルコキシ基、一般式（２）で表される有機基であり、好ましくは、水素原子、水酸基、メトキシ基、エトキシ基、１−プロポキシ基、２−プロポキシ基、一般式（２）で表される有機基である。Ｘとしては、炭素数２〜１５個の２価炭化水素基であり、好ましくは−（ＣＨ２）２−、−（ＣＨ２）３−、−（ＣＨ２）４−、−ＣＨ２ＣＨ（ＣＨ３）ＣＨ２−、−（ＣＨ２）８−、−（ＣＨ２）１１−等が挙げられ、より好ましくは、−（ＣＨ２）２−、−（ＣＨ２）３−、−ＣＨ２ＣＨ（ＣＨ３）ＣＨ２−である。ｎは、１以上の整数であり、好ましくは１〜２０００であり、より好ましくは５〜１００である。ｍは、１以上の整数であり、好ましくは１〜１０００であり、より好ましくは１〜１００であり、さらに好ましくは３〜２０である。ｓは、０〜１００の整数であり、好ましくは１〜５０であり、さらに好ましくは５〜５０である。ｔは、０〜５０の整数であり、好ましくは０〜３０である。ｚは、０〜５０の整数であり、好ましくは０〜２０である。また、ペンダント型で存在するアルキレンエーテル部位はランダム、またはブロック共重合体である。式（２）中、Ｘ、Ｒ２、Ｒ３、ｓ、ｔ、及びｚは前記と同じであり、Ｙは水素原子、または炭素−炭素２重結合を持つ炭素数２〜１５個の１価炭化水素基であり、好ましくはエチレン基、プロピレン基、ブチレン基、分岐のブチレン基、オクテン基、ドデセン基である。
【００２５】
上記平均組成式（１）で示されるオルガノポロシロキサンとしては、例えば下記平均式（３）で示されるオルガノポリシロキサンが好ましく挙げられる。
【化９】
0005841488.tif 000010
（上記平均組成式（３）中、Ｒ１はそれぞれ独立に、炭素数１〜１２個の１価の炭化水素基であり、Ｒ２は水素原子、炭素数１〜１５の１価の炭化水素基、及び炭素数２〜７の１価のアシル基のいずれかであり、Ｘ”は−（ＣＨ２）３−、又は−ＣＨ２ＣＨ（ＣＨ３）ＣＨ２−であり、ｎ’は１〜２０００の整数であり、ｍ’は１〜１０００の整数であり、ｓ’は１〜１００の整数であり、ｔ’は０〜５０の整数であり、ｚ’は０〜５０の整数であり、Ｒ５はそれぞれ独立に、水素原子、水酸基、炭素数１〜６のアルコキシ基、又は、下記一般式（４）で表される有機基である。）
【化１０】
0005841488.tif 000011
（上記一般式（４）中、Ｘ”、Ｒ２、ｓ’、ｔ’、及びｚ’は前記と同じであり、Ｙ’は水素原子、−ＣＨ２−ＣＨ＝ＣＨ２、−ＣＨ＝ＣＨ−ＣＨ３、−ＣＨ２−Ｃ（ＣＨ３）＝ＣＨ２、又は−ＣＨ＝Ｃ（ＣＨ３）２である。）
【００２６】
本発明のブロック型オルガノポリシロキサンの具体例を挙げる。
【化１１】
0005841488.tif 000012
上記ブロック型オルガノポリシロキサンは両末端水素原子タイプであるが、後述で挙げられる反応溶剤にアルコールを用いる事によって、脱水素反応してアルコキシ化されたものが得られる場合もある。また、反応系に水分を含んでいる場合は脱水素反応により、水酸基に変換されたものが得られる場合もある。
【００２７】
【化１２】
0005841488.tif 000013
上記ブロック型オルガノポリシロキサンは片方の末端に２重結合が残存しているものであるが、この２重結合は、反応中に内部転移することがある。
【００２８】
製造方法
本発明では上述したブロック型オルガノポリシロキサンの製造方法の一例として、下記一般式（５）で表される両末端ハイドロジェンオルガノポリシロキサンと下記一般式（６）で表される化合物を遷移金属触媒存在下で反応させることを特徴とするブロック型オルガノポリシロキサンの製造方法を提供する。
【化１３】
0005841488.tif 000014
（上記一般式（５）中、Ｒ１、及びｎは前記と同じである。）
【００２９】
【化１４】
0005841488.tif 000015
上記一般式（６）中、Ｘ’は、末端に炭素−炭素２重結合を持つ炭素数２〜１５個の１価炭化水素基であり、好ましくはＣＨ＝ＣＨ−、ＣＨ＝ＣＨ−ＣＨ２−、ＣＨ＝ＣＨ−（ＣＨ２）２−、ＣＨ＝Ｃ（ＣＨ３）ＣＨ２−、ＣＨ＝ＣＨ−（ＣＨ２）６−、ＣＨ＝ＣＨ−（ＣＨ２）９−等が挙げられ、より好ましくは、ＣＨ＝ＣＨ−ＣＨ２−、ＣＨ＝Ｃ（ＣＨ３）ＣＨ２−である。Ｒ２、Ｒ３、ｓ、ｔ、ｚは前記と同じである。
【００３０】
上記一般式（６）の化合物の製造方法の例として、トリメチロールプロパンジアリルエーテルを出発原料として、塩基、または酸触媒存在下でエチレンオキサイド、プロピレンオキサイド、及びブチレンオキサイドをそれぞれ単独、または同時に付加させることによって得る方法が挙げられる。ヒドロキシ基に対して上記のアルキレンオキサイドを付加反応させる方法は公知技術である。トリメチロールプロパンジアリルエーテルは純度が５０％以上が好ましく、より好ましくは８０％以上である。
【００３１】
遷移金属触媒としては、白金又はロジウムが挙げられる。好ましくは、塩化白金酸、アルコール変性塩化白金酸、塩化白金酸−ジビニルシロキサン錯体である。触媒の使用量は、触媒として有効な量であってよいが、通常白金又はロジウム量で５０ｐｐｍ以下、好ましくは２０ｐｐｍ以下である。
【００３２】
反応温度は特に限定されないが、有機溶剤を用いる場合はその沸点以下であり、無溶剤の場合は５０℃以上１４０℃以下で行うのが好ましい。１４０℃以下では末端の炭素−炭素２重結合が内部転移しにくく、反応性が良くなる傾向にある。反応時間も特に限定されないが１〜１０時間反応させることが好適である。
【００３３】
本反応は必要に応じて有機溶剤中で行ってもよい。有機溶剤としては、例えばトルエン、キシレン等の芳香族炭化水素、エタノール、イソプロピルアルコール等の低級アルコール、ｎ−ペンタン、ｎ−ヘキサン、シクロヘキサン等の脂肪族又は脂環式炭化水素、ジクロロメタン、クロロホルム、四塩化炭素等のハロゲン化炭化水素、テトラヒドロフラン、ジオキサン等のエーテル等が挙げられる。好ましくは、芳香族、脂肪族、若しくは脂環式炭化水素溶剤、又は低級アルコールを使用する。
【００３４】
反応当量は前記一般式（５）のオルガノポリシロキサン１当量に対して、０．７〜１．４当量の前記一般式（６）の化合物を用いることが好ましく、より好ましくは０．９〜１．１当量である。
【００３５】
本発明のブロック型オルガノポリシロキサンは、例えば、パーソナルケア組成物、化粧料、繊維処理、塗料、樹脂改質等の用途に使用することができる。
【００３６】
化粧料
本発明では、前記ブロック型オルガノポリシロキサンを含有するものであることを特徴とする化粧料を提供する。本発明の化粧料は、乳化安定性、経時安定性に優れ、軽い感触であり、べたつきのない、化粧持続性の良好な化粧料となる。
【００３７】
本発明の化粧料は、前記オルガノポリシロキサンを化粧料の総質量の０．１〜４０質量％含有させることで、特に化粧持続性に優れた化粧料を提供する。
【００３８】
本発明の化粧料に上記オルガノポリシロキサン以外で添加できるものの例として通常の化粧料に使用される固体、半固体又は液状の油剤、水、アルコール類、界面活性剤、粉体が挙げられる。本発明はこれらによって限定されるものではない。
【００３９】
本発明で使用することのできる油剤としては、下記のものが例示される。但し、ＰＯＥはポリオキシエチレンを意味する。天然動植物油脂類、及び半合成油類としては、アボガド油、アマニ油、アーモンド油、イボタロウ、エノ油、オリーブ油、カカオ脂、カポックロウ、カヤ油、カルナバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。
【００４０】
炭化水素油類としては、オゾケライト、スクワラン、スクワレン、セレシン、パラフィン、パラフィンワックス、流動パラフィン、プリスタン、ポリイソブチレン、マイクロクリスタリンワックス、ワセリン、高級脂肪酸類としては、ラウリン酸、ミリスチン酸、パルミチン酸、ステアリン酸、ベヘン酸、ウンデシレン酸、オレイン酸、リノール酸、リノレイン酸、アラキドン酸、エイコサペンタエン酸、ドコサヘキサエン酸、イソステアリン酸、１２−ヒドロキシステアリン酸等が挙げられる。
【００４１】
高級アルコール類としては、ラウリルアルコール、ミリスチルアルコール、パルミチルアルコール、ステアリルアルコール、べヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリンエーテル（セラキルアルコール）等が挙げられる。
【００４２】
エステル油類としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、ジ−２−エチルヘキサン酸ネオペンチルグリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリン酸コレステリル、ジペンタエリスリトール脂肪酸エステル、ミリスチン酸イソプロピル、ミリスチン酸２−オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル、デキストリンパルミチン酸エステル、デキストリンステアリン酸エステル、デキストリン２−エチルヘキサン酸パルミチン酸エステル、ショ糖パルミチン酸エステル、ショ糖ステアリン酸エステル、モノベンゾリデンソルビトール、ジベンジリデンソルビトール等が挙げられる。
【００４３】
グリセライド油類としては、アセトグリセリル、ジイソオクタン酸グリセリル、トリイソステアリン酸グリセリル、トリイソパルミチン酸グリセリル、トリ−２−エチルヘキサン酸グリセリル、モノステアリン酸グリセリル、ジ−２−ヘプチルウンデカン酸グリセリル、トリミリスチン酸グリセリル等が挙げられる。
【００４４】
シリコーン油類としては、ジメチルポリシロキサン、メチルフェニルポリシロキサン、メチルハイドロジェンポリシロキサン、オクタメチルシクロテトラシロキサン、デカメチルシクロペンタシロキサン、ドデカメチルシクロヘキサンシロキサン、テトラメチルテトラハイドロジェンシクロテトラシロキサン、ステアロキシシリコーン等の高級アルコキシ変性シリコーン、高級脂肪酸変性シリコーン、フッ素変性シリコーン、アミノ変性シリコーン、アルキル変性シリコーン、高級脂肪酸エステル変性シリコーン、シリコーン樹脂、シリコーンゴム、ジリコーンレジン、フッ素系油類としては、パーフルオロポリエーテル、パーフルオロデカリン、パーフルオロオクタン等が挙げられる。
【００４５】
これらの油剤は、必要に応じて１種又は２種以上を用いることができる。本発明の化粧料には、上記油剤を０〜９０．０質量％含有させることができるが、特に１〜９０質量％含有させることが好ましい。
【００４６】
本発明の化粧料の構成成分として水を含有させる場合の水の使用量は０〜９９．０質量％である。
【００４７】
本発明の化粧料は、シリコーンオイル、エステル油、グリセライド油、及び水のいずれか、又はこれらの混合物を含有することにより、エマルジョンの形態とすることができる。
【００４８】
本発明で使用することのできるアルコール類としては、エタノール、プロパノール、エチレングリコール、エチレングリコールモノアルキルエーテル、ジエチレングリコールモノエチルエーテル、ポリエチレングリコール、プロピレングリコール、ジプロピレングリコール、１，３−ブチレングリコール、グリセリン、ジグリセリン、ポリグリセリン、ペンタエリスリトール、ショ糖、乳糖、キシリトール、ソルビトール、マンニトール、マルチトール、カラギーナン、寒天、グアーガム、デキストリン、トラガカントガム、ローカストビンガム、ポリビニルアルコール、ポリオキシエチレン系高分子、ポリオキシエチレンポリオキシプロピレン共重合体系高分子、ヒアルロン酸、コンドロイチン硫酸、キチンキトサン等が挙げられ、これらは必要に応じて１種又は２種以上を用いることができる。これらアルコール類の化粧料中への含有率は０．１〜９０．０質量％であり、好ましくは０．５〜５０．０質量％である。０．１質量％以上であれば、保湿性、防菌、防バイ性に対し十分であり、好ましい。
【００４９】
本発明の化粧料は油剤、水、アルコール類を添加することで優れたものを得ることができるが、更に必要に応じて以下の成分ｉ）、ｉｉ）、ｉｉｉ）、ｉｖ）を加えることができる。
【００５０】
ｉ）下記例示の粉体及び／又は着色剤
無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックパウダー、第二リン酸カルシウム、アルミナ、水酸化アルミニウム、窒化ホウ素、シリカ等が挙げられる。
【００５１】
有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、テトラフルオロエチレンパウダー、ポリメチルメタクリレートパウダー、セルロースパウダー、シルクパウダー、１２ナイロン、６ナイロン等のナイロンパウダー、その他スチレン・アクリル酸共重合体、ジビニルベンゼン、スチレン共重合体、ビニル樹脂、尿素樹脂、フェノール樹脂、フッ素樹脂、ケイ素樹脂、アクリル樹脂、メラミン樹脂、エポキシ樹脂、ポリカーボネート樹脂、微結晶繊維粉体、デンプン、ラウロイルリジン等のパウダー等が挙げられる。
【００５２】
界面活性剤金属塩粉体（金属石鹸）として、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
【００５３】
有色顔料として、酸化鉄、水酸化鉄、チタン酸鉄の無機赤色系顔料、γ−酸化鉄等の無機褐色系顔料、黄酸化鉄、黄土等の無機黄色系顔料、黒酸化鉄、カーボンブラック等の無機黒色系顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した複合粉体等が挙げられる。
【００５４】
パール顔料としては、酸化チタン被覆雲母、オキシ塩化ビスマス、酸化チタン被覆オキシ塩化ビスマス、酸化チタン被覆タルク、魚鱗箔、酸化チタン被覆着色雲母等、金属粉末顔料としては、アルミニウムパウダー、カッパーパウダー、ステンレスパウダー等が挙げられる。
【００５５】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、燈色２０７号等、天然色素としては、カルミン酸、ラッカイン酸、カルサミン、ブラジリン、クロシン等が挙げられる。
【００５６】
これらは通常の化粧品に使用されるものであれば、その形状（球状、針状、板状等）や粒子径（煙霧状、微粒子、顔料級等）、粒子構造（多孔質、無孔質等）を問わず、いずれも使用することができる。また、これらの粉体同士を複合化することができる他、油剤や本発明のオルガノポリシロキサン以外のシリコーン、又はフッ素化合物等で表面処理を行ってもよい。
【００５７】
ｉｉ）下記例示の界面活性剤
アニオン性界面活性剤としては、ステアリン酸ナトリウム、オレイン酸トリエタノールアミン等の飽和、又は不飽和脂肪酸セッケン、アルキルエーテルカルボン酸及びその塩、アミノ酸と脂肪酸の縮合物等のカルボン酸塩、アミドエーテルカルボン酸塩、α−スルホ脂肪酸エステル塩、α−アシルスルホン酸塩、アルキルスルホン酸塩、アルケンスルホン酸塩、脂肪酸エステルのスルホン酸塩、脂肪酸アミドのスルホン酸塩、アルキルスルホン酸塩及びそのホルマリン縮合物のスルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、アルケニルリン酸塩、エーテルリン酸塩、アルキルアリルエーテルリン酸塩、アルキルアミドリン酸塩、Ｎ−アシルアミノ酸系活性剤等が挙げられる。
【００５８】
カチオン性界面活性剤としては、アルキルアミン塩、ポリアミン及びアミノアルコール脂肪酸誘導体等のアミン塩、アルキル四級アンモニウム塩、芳香属四級アンモニウム塩、ピリジウム塩、イミダゾリウム塩等が挙げられる。
【００５９】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、ポリオキシアルキレン変性オルガノポリシロキサン、ポリオキシアルキレン・アルキル共変性オルガノポリシロキサン、ポリオキシアルキレン・フルオロアルキル共変性オルガノポリシロキサン、ポリオキシアルキレン・オルガノポリシロキサンブロック共重合体、アルカノールアミド、糖エーテル、糖アミド等が挙げられる。
【００６０】
両性界面活性剤としては、ベタイン、アミノカルボン酸塩、イミダゾリン誘導体等が挙げられる。
【００６１】
ｉｉｉ）架橋型オルガノポリシロキサン
本発明の化粧料には、その目的に応じて１種又は２種以上の架橋型オルガノポリシロキサンを用いることもできる。この架橋型オルガノポリシロキサンは、０．６５〜１０．０ｍｍ２／秒（２５℃）の低粘度シリコーンに対し、自重以上の前記低粘度シリコーンを含んで膨潤することが好ましい。また、この架橋型オルガノポリシロキサンは、分子中に二つ以上のビニル性反応部位を持つ架橋剤とケイ素原子に直接結合した水素原子との反応により形成した架橋構造を有することが好ましい。更に、この架橋型オルガノポリシロキサンは、ポリオキシアルキレン部分、アルキル部分、アルケニル部分、アリール部分、及びフルオロアルキル部分からなる群から選択される少なくとも１種の部分を含有することが好ましい。架橋型オルガノポリシロキサンを用いる場合の配合量は、化粧料の総量に対して０．１〜３０質量％であることが好ましく、特に、１〜１０質量％であることが好ましい。
【００６２】
ｉｖ）アクリル／シリコーングラフト、ブロック共重合体、及びシリコーン網状化合物等のシリコーン樹脂
本発明の化粧料には、その目的に応じてアクリル／シリコーンのグラフト、ブロック共重合体、及びシリコーン網状化合物等から選択された少なくとも１種のシリコーン樹脂を用いることもできる。このシリコーン樹脂は、本発明においては特にアクリルシリコーン樹脂であることが好ましい。また、このシリコーン樹脂は、ピロリドン部分、長鎖アルキル部分、ポリオキシアルキレン部分及びフルオロアルキル部分からなる群から選択される少なくとも１種を分子中に含有するアクリルシリコーン樹脂であることが好ましい。更にこのシリコーン樹脂はシリコーン網状化合物であることが好ましい。このようなアクリル／シリコーンのグラフト、ブロック共重合体、及びシリコーン網状化合物等のシリコーン樹脂を用いる場合の配合量は、化粧料の総量に対して０．１〜２０質量％であることが好ましく、特に１〜１０質量％であることが好ましい。
【００６３】
前記化合物以外に本発明の化粧料に添加できるものとしては、水溶性高分子、皮膜形成剤、油溶性ゲル化剤、有機変性粘土鉱物、樹脂、紫外線吸収剤、保湿剤、防腐剤、抗菌剤、香料、塩類、酸化防止剤、ｐＨ調整剤、キレート剤、清涼剤、抗炎症剤、美肌用成分、ビタミン類、アミノ酸類、核酸、ホルモン、包接化合物等が挙げられる。
【００６４】
本発明の化粧料の具体的な用途は、スキンケア製品、メークアップ製品、毛髪用化粧料、紫外線防御製品等が好ましいものとして挙げられる。また、製品の形態についても特に限定はないが、液状、乳液状、クリーム状、固形状、ペースト状、ゲル状、粉末状、多層状、ムース状、スプレー状等にすることが可能である。
【００６５】
本発明の化粧料の具体的な使用の例として、毛髪用化粧料を挙げる。本発明のブロック型オルガノシロキサンは界面活性剤としての乳化安定性、経時安定性に優れており、該ブロック型オルガノシロキサンを界面活性剤として毛髪用化粧料に配合することで、乳化安定性、経時安定性に優れた毛髪用化粧料を与えることができる。毛髪用化粧料中の、本発明のブロック型オルガノポリシロキサンの含有量は、良好なコンディショニング効果とその持続性を得る観点から、０．１〜２０質量％が好ましく、１〜１０質量％がより好ましく、１〜５質量％が更に好ましい。
【００６６】
本発明の毛髪用化粧料には、更に油剤、特に毛髪に対してコンディショニング作用を有する油剤を配合してもよい。油剤としては、例えば低級アルコール、炭素数１２〜３０の飽和又は不飽和アルコール；前記アルコールと多価アルコールとのエーテル；前記アルコールと炭素数１〜１１の脂肪酸とのエステル；炭素数１２〜３０の飽和又は不飽和脂肪酸；前記脂肪酸と一価又は多価アルコールとのエステル；前記脂肪酸とアミンとのアミド；ステロール；スクアレン；リン脂質；糖脂質；動物性油脂；植物性油脂；環状、直鎖、又は分岐のジメチルポリシロキサン、メチルポリシロキサン、ポリシロキサン、アルキル変性シリコーン、メチルフェニルポリシロキサン、ポリエーテル変性シリコーンから選ばれる１種以上のシリコーン等が挙げられる。
【００６７】
これら油剤の毛髪用化粧料への配合量は、好ましくは０．０１〜３０質量％、より好ましくは１〜２５質量％、更に好ましくは３〜２０質量％である。
【００６８】
更に、本発明の毛髪用化粧料には、必要に応じてヒドロキシエチルセルロース等の増粘剤、界面活性剤、アニオン性・両性・カチオン性・非イオン性重合物、香料、パール化剤、毛髪セット用ポリマー、色素、紫外線吸収剤、酸化防止剤、防腐剤等を配合してもよい。
【００６９】
界面活性剤としては、通常の毛髪用化粧料に用いられるものであれば特に制限されず、アニオン性界面活性剤、非イオン性界面活性剤、両性界面活性剤、カチオン性界面活性剤のいずれをも好適に使用することができる。
【００７０】
具体的には、アニオン性界面活性剤としては、例えば、アルキルベンゼンスルホン酸塩、好ましくは平均炭素数１０〜１６のアルキル基を有する直鎖又は分岐鎖のアルキルベンゼンスルホン酸塩；アルキルエーテル硫酸塩又はアルケニルエーテル硫酸塩、好ましくは平均炭素数１０〜２０の直鎖又は分岐鎖のアルキル基又はアルケニル基を有し、１分子内に平均０．５〜８モルのエチレンオキサイド、プロピレンオキサイド、ブチレンオキサイド、エチレンオキサイドとプロピレンオキサイドが０．１／９．９〜９．９／０．１のモル比で、あるいはエチレンオキサイドとブチレンオキサイドが０．１／９．９〜９．９／０．１のモル比で付加したアルキルエーテル硫酸塩又はアルケニルエーテル硫酸塩；アルキル硫酸塩又はアルケニル硫酸塩、好ましくは平均炭素数１０〜２０のアルキル基又はアルケニル基を有するアルキル硫酸塩又はアルケニル硫酸塩；オレフィンスルホン酸塩、好ましくは平均１０〜２０の炭素原子を１分子中に有するオレフィンスルホン酸塩；アルカンスルホン酸塩、好ましくは平均１０〜２０の炭素原子を１分子中に有するアルカンスルホン酸塩；高級脂肪酸塩、好ましくは平均１０〜２４の炭素原子を１分子中に有する飽和又は不飽和脂肪酸塩；（アミド）エーテルカルボン酸型界面活性剤；α−スルホ脂肪酸塩又はエステル、好ましくは平均１０〜２０の炭素原子からなるアルキル基又はアルケニル基を有するα−スルホ脂肪酸塩又はエステル；Ｎ−アシルアミノ酸型界面活性剤、好ましくは炭素数８〜２４のアシル基及び遊離カルボン酸残基を有するＮ−アシルアミノ酸型界面活性剤（例えばＮ−アシルザルコシネート、Ｎ−アシル−β−アラニン等）；リン酸エステル型界面活性剤、好ましくは炭素数８〜２４のアルキル基もしくはアルケニル基又はそれらのアルキレンオキサイド付加物を有するリン酸モノ又はジエステル型界面活性剤；スルホコハク酸エステル型界面活性剤、好ましくは炭素数８〜２２の高級アルコールもしくはそのエトキシレート等のスルホコハク酸エステル又は高級脂肪酸アミド由来のスルホコハク酸エステル；ポリオキシアルキレン脂肪酸アミドエーテル硫酸塩、好ましくは炭素数８〜２４の直鎖又は分岐鎖の飽和又は不飽和の脂肪酸モノエタノールアミド又はジエタノールアミドのエトキシレート等の硫酸塩；モノグリセライド硫酸エステル塩、好ましくは炭素数８〜２４の直鎖又は分岐鎖の飽和又は不飽和の脂肪酸基を有するモノグリセライド硫酸エステル塩；アシル化イセチオン酸塩、好ましくは炭素数８〜２４の直鎖又は分岐鎖の飽和又は不飽和の脂肪酸基を有するアシル化イセチオン酸塩；アルキルグリセリルエーテル硫酸塩又はアルキルグリセリルエーテルスルホン酸塩、好ましくは炭素数８〜２４の直鎖もしくは分岐鎖のアルキル基もくしはアルケニル基もしくはそれらのアルキレンオキサイド付加物を有するアルキルグリセリルエーテル硫酸塩又はアルキルグリセリルエーテルスルホン酸塩；アルキル又はアルケニルアミドスルホネート、好ましくは炭素数８〜２４の直鎖又は分岐鎖のアルキル基又はアルケニル基を有するアルキル又はアルケニルアミドスルホネート；アルカノールアミドスルホコハク酸塩、好ましくは炭素数８〜２４の直鎖又は分岐鎖のアルキル基又はアルケニル基を有するアルカノールアミドスルホコハク酸塩；アルキルスルホアセテート、好ましくは炭素数８〜２４の直鎖又は分岐鎖のアルキル基又はアルケニル基を有するアルキルスルホアセテート；アシル化タウレート、好ましくは炭素数８〜２４の直鎖又は分岐鎖の飽和又は不飽和の脂肪酸基を有するアシルタウレート；Ｎ−アシル−Ｎ−カルボキシエチルグリシン塩、好ましくは炭素数６〜２４のアシル基を有するＮ−アシル−Ｎ−カルボキシエチルグリシン塩等が挙げられる。
【００７１】
これらのアニオン性界面活性剤の塩、即ちアニオン性残基の対イオンとしては、ナトリウム、カリウム等のアルカリ金属イオン、カルシウム、マグネシウム等のアルカリ土類金属イオン、アンモニウムイオン、炭素数２又は３のアルカノール基を１〜３個有するアルカノールアミン（例えばモノエタノールアミン、ジエタノールアミン、トリエタノールアミン、トリイソプロパノールアミン等）を挙げることができる。
【００７２】
上記アニオン性界面活性剤のうち、アルキルエーテル硫酸塩、特にポリオキシエチレンアルキルエーテル硫酸塩が好ましい。
【００７３】
非イオン性界面活性剤としては、例えば平均炭素数１０〜２４の直鎖又は分岐鎖のアルキル基又はアルケニル基を有し、エチレンオキサイド、プロピレンオキサイド又はブチレンオキサイドを付加したポリオキシアルキレンアルキルエーテル又はポリオキシアルキレンアルケニルエーテル；炭素数８〜２０の脂肪酸のグリセリンエステル；炭素数８〜２０の脂肪酸のグリコールエステル；炭素数８〜２０の脂肪酸のモノグリセライドのアルキレンオキサイド付加物；炭素数８〜２０の脂肪酸のショ糖エステル；炭素数８〜２０の脂肪酸のソルビタンエステル；炭素数８〜２０のアシル基を有するポリグリセリン脂肪酸エステル；炭素数８〜２０の脂肪酸のモノエタノールアミド又はジエタノールアミド又はそれらのエトキシレート；ポリオキシエチレン硬化ヒマシ油；炭素数８〜２０のアシル基を有するポリオキシアルキレンソルビタン脂肪酸エステル；炭素数８〜２０のアシル基を有するポリオキシエチレンソルビット脂肪酸エステル；炭素数８〜１８の直鎖又は分岐鎖のアルキル基、アルケニル基又はアルキルフェニル基を有するアルキルサッカライド系界面活性剤；炭素数８〜２０の直鎖又は分岐鎖のアルキル基、アルケニル基を有するアルキルアミンオキサイド又はアルキルアミドアミンオキサイド；炭素数８〜２０の直鎖又は分岐鎖のアルキル基又はアルケニル基を有する多価アルコールのエーテル化合物又はエステル化合物；ポリオキシアルキレン変性オルガノポリシロキサン、ポリオキシアルキレン・アルキル共変性オルガノポリシロキサン、ポリグリセリン変性オルガノポリシロキサン、ポリグリセリン・アルキル共変性オルガノポリシロキサン、ポリオキシアルキレン・フルオロアルキル共変性オルガノポリシロキサン、架橋型ポリオキシアルキレン・オルガノポリシロキサン、糖変性シリコーン、オキサゾリン変性シリコーン、ポリオキシアルキレンアルキルアリールエーテル、ポリオキシアルキレンラノリンアルコール、ポリオキシアルキレン脂肪酸エステル、プルロニック型ブロックポリマー、テトロニック型ブロックポリマー、ポリオキシアルキレン脂肪酸アミド、ポリオキシアルキレンアルキルアミド、ポリエチレンイミン誘導体等が挙げられる。
【００７４】
また、両性界面活性剤としては、例えば、アミドアミノ酸型、カルボベタイン型、アミドベタイン型、スルホベタイン型、アミドスルホベタイン型、イミダゾリニウムベタイン型、アミノ酸型、ホスホベタイン型、リン酸エステル型等が挙げられる。
【００７５】
カチオン性界面活性剤としては、第３級アミン、第４級アンモニウム塩、アミドアミン、エステルアミン等が挙げられる。例えばベヘニルトリメチルアンモニウムクロライド、ジステアリルジメチルアンモニウムクロライド、セチルトリメチルアンモニウムクロライド、ステアリルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（エチレンオキサイド合計３モル付加）、セチルベンジルジメチルアンモニウムクロライド、セチルトリエチルアンモニウムブロマイド、ジステアリルジメチルアンモニウムクロライド等のほか、２−デシルテトラデシルトリメチルアンモニウムクロライド、２−ドデシルヘキサデシルトリメチルアンモニウムクロライド、ジ−２−ヘキシルデシルジメチルアンモニウムクロライド、ジ−２−オクチルドデシルジメチルアンモニウムクロライド、ベヘニル第３級アミン、ステアリル第３級アミン、ステアラミドプロピルジメチルアミン等を挙げることができる。
【００７６】
界面活性剤は、１種又は２種以上を用いることができ、毛髪用化粧料中に０．１〜５０質量％配合するのが好ましく、更に０．５〜４０質量％、特に１〜３０質量％配合すると、起泡性に優れるので好ましい。
【００７７】
本発明の毛髪用化粧料の剤型が、ヘアセット剤、ヘアフォーム剤、ヘアスプレー剤等である場合は、ポリビニルピロリドンとその重合体（ポリビニルピロリドン／酢酸ビニル共重合体、ポリビニルピロリドン／酢酸ビニル／プロピオン酸ビニル架橋共重合体、ポリビニルピロリドン／アルキルアミノアクリレート共重合体、ポリビニルピロリドン／アクリレート／（メタ）アクリル酸共重合体、ポリビニルピロリドン／アルキルアミノアクリレート／ビニルカプロラクタム共重合体）、メチルビニルエーテル／無水マレイン酸アルキルハーフエステル共重合体、酢酸ビニルの重合体（酢酸ビニル／クロトン酸共重合体、酢酸ビニル／クロトン酸／ネオデカン酸ビニル共重合体、酢酸ビニル／クロトン酸／プロピオン酸ビニル共重合体、酢酸ビニル／ｔｅｒｔ−ブチル安息香酸ビニル／クロトン酸共重合体、（メタ）アクリル酸／（メタ）アクリル酸エステル共重合体）、アクリル酸の重合体（アクリル酸／アクリル酸アルキルエステル／アルキルアクリルアミド共重合体、（メタ）アクリルエチルベタイン／（メタ）アクリル酸アルキルエステル共重合体、Ｎ−メタクリロイルオキシエチル−Ｎ，Ｎ−ジメチルアンモニウムα−Ｎ−メチルカルボキシベタインと（メタ）アクリル酸アルキルエステルとの共重合体、アクリル酸アルキルエステル／メタクリル酸ブチルアミノエチル／アクリル酸オクチルアミド共重合体）、塩基性アクリル系高分子化合物、セルロース骨格を有する化合物、カチオン性セルロース誘導体、ヒドロキシプロピルキトサン、カルボキシメチルキチン、カルボキシメチルキトサン、キトサンとピロリドンカルボン酸、乳酸、グリコール酸等の一価酸、又はアジピン酸、コハク酸等の二価酸との塩、水分散性ポリエステル等を毛髪セット用ポリマーとして用いることができる。
【００７８】
これらの毛髪セット用ポリマーは、１種又は２種以上を用いることができる。毛髪用化粧料中の毛髪セット用ポリマーの配合量は、必要かつ十分なセット力を得る観点から、０．１〜１０質量％が好ましく、０．５〜６質量％が更に好ましく、１〜４質量％が特に好ましい。
【００７９】
毛髪用化粧料としては、例えば浴室内で用いるようなヘアシャンプー、ヘアトリートメント、ヘアコンディショナーや、浴室外で用いるヘアフォーム、ヘアスプレー、ヘアクリーム、ヘアワックス、ヘアジェル、更には、ヘアダイ、パーマ、ヘアマニキュア、ヘアブリーチ等、家庭や美容室での施術に用いられる剤等が挙げられ、本発明のオルガノポリシロキサンはこれらのいずれにも配合できる。
【実施例】
【００８０】
以下、調製例、比較調製例、実施例及び比較例を示し、本発明を具体的に説明するが、本発明は下記の実施例に制限されるものではない。なお、特に記載のない表中の各成分の量は純分換算した量であり、動粘度はオストワルド粘度計を用いた２５℃における測定値、粘度は回転式粘度計ＤＶ−ＩＩ＋（ブルックフィールド社製）を用いた２５℃における測定値である。また、平均分子量はＧＰＣ（ゲルパーミションクロマトグラフィー）によるポリスチレン換算した質量平均分子量である。
【００８１】
（調製例１）
反応器に下記一般式
【化１５】
0005841488.tif 000016
で表される動粘度１７ｍｍ２／ｓ（２５℃）のオルガノハイドロジェンポリシロキサン１００質量部、２−プロパノール３０質量部、下記一般式で表されるビニル価３．２８ｍｍｏｌ／ｇのポリオキシアルキレン化合物４２質量部、塩化白金酸の１−ブタノール溶液（白金３質量％）０．０１質量部を加え、８０℃にて４時間撹拌した。
【化１６】
0005841488.tif 000017
（Ｘ’＝  ＣＨ２＝ＣＨ−ＣＨ２−、Ｒ２＝  −Ｈ、Ｒ３＝  −ＣＨ２−ＣＨ３、ｓ＝  ９、ｔ＝  ０、ｚ＝  ０）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００８２】
得られた反応混合物を減圧下、１２０℃で減圧ストリップすることにより、溶剤を取り除き、無色透明で粘度８０００ｍＰａ・ｓ（２５℃）、平均分子量が１５０００の下記ポリオキシアルキレン変性オルガノポリシロキサンを得た。
【化１７】
0005841488.tif 000018
Ｒ１＝  −ＣＨ３
Ｒ２＝  −Ｈ
Ｒ３＝  −ＣＨ２−ＣＨ３
Ｘ＝  −ＣＨ２−ＣＨ２−ＣＨ２−
ｎ＝  １９
ｍ＝  ６
ｓ＝  ９
ｔ＝  ０
ｚ＝  ０
Ｒ４＝  下記一般式
【化１８】
0005841488.tif 000019
（Ｘ、Ｒ２、Ｒ３、ｓ，ｔ，ｚは上記と同じであり、Ｙ＝  −ＣＨ＝ＣＨ−ＣＨ３）
【００８３】
（調製例２）
反応器に下記一般式
【化１９】
0005841488.tif 000020
で表される動粘度３５ｍｍ２／ｓ（２５℃）のオルガノハイドロジェンポリシロキサン１５０質量部、２−プロパノール３０質量部、下記一般式で表されるビニル価０．９７１ｍｍｏｌ／ｇのポリオキシアルキレン化合物１１０質量部、塩化白金酸の１−ブタノール溶液（白金３質量％）０．０１質量部を加え、８０℃にて５時間撹拌した。
【化２０】
0005841488.tif 000021
（Ｘ’＝  ＣＨ２＝ＣＨ−ＣＨ２−、Ｒ２＝  −Ｈ、Ｒ３＝  −ＣＨ２−ＣＨ３、ｓ＝  １８、ｔ＝  １８、ｚ＝  ０）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００８４】
得られた反応混合物を減圧下、１１０℃で減圧ストリップすることにより、溶剤を取り除き、無色透明で粘度７８００ｍＰａ・ｓ（２５℃）、平均分子量が２７０００の下記ポリオキシアルキレン変性オルガノポリシロキサンを得た。
【化２１】
0005841488.tif 000022
Ｒ１＝  −ＣＨ３
Ｒ２＝  −Ｈ
Ｒ３＝  −ＣＨ２−ＣＨ３
Ｘ＝  −ＣＨ２−ＣＨ２−ＣＨ２−
ｎ＝  ３９
ｍ＝  ４
ｓ＝  １８
ｔ＝  １８
ｚ＝  ０
Ｒ４＝  下記一般式
【化２２】
0005841488.tif 000023
（Ｘ、Ｒ２、Ｒ３、ｓ，ｔ，ｚは上記と同じであり、Ｙ＝  −ＣＨ＝ＣＨ−ＣＨ３）
【００８５】
（調製例３）
反応器に下記一般式
【化２３】
0005841488.tif 000024
で表される動粘度７６ｍｍ２／ｓ（２５℃）のオルガノハイドロジェンポリシロキサン２００質量部、エチルアルコール５０質量部、下記一般式で表されるビニル価３．２８ｍｍｏｌ／ｇのポリオキシアルキレン化合物２９質量部、塩化白金酸の１−ブタノール溶液（白金３質量％）０．０２質量部を加え、８０℃にて６時間撹拌した。
【化２４】
0005841488.tif 000025
（Ｘ’＝  ＣＨ２＝ＣＨ−ＣＨ２−、Ｒ２＝  −Ｈ、Ｒ３＝  −ＣＨ２−ＣＨ３、ｓ＝  ９、ｔ＝  ０、ｚ＝  ０）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００８６】
得られた反応混合物を減圧下、１１０℃で減圧ストリップすることにより、溶剤を取り除き、無色透明で粘度３９１００ｍＰａ・ｓ（２５℃）、平均分子量が６５５００の下記ポリオキシアルキレン変性オルガノポリシロキサンを得た。
【化２５】
0005841488.tif 000026
Ｒ１＝  −ＣＨ３
Ｒ２＝  −Ｈ
Ｒ３＝  −ＣＨ２−ＣＨ３
Ｘ＝  −ＣＨ２−ＣＨ２−ＣＨ２−
ｎ＝  ５９
ｍ＝  １２
ｓ＝  ９
ｔ＝  ０
ｚ＝  ０
Ｒ４＝  下記一般式、及び一部が−Ｏ−ＣＨ２−ＣＨ３
【化２６】
0005841488.tif 000027
（Ｘ、Ｒ２、Ｒ３、ｓ，ｔ，ｚは上記と同じであり、Ｙ＝  −ＣＨ＝ＣＨ−ＣＨ３）
【００８７】
（調製例４）
反応器に下記一般式
【化２７】
0005841488.tif 000028
で表される動粘度９８ｍｍ２／ｓ（２５℃）のオルガノハイドロジェンポリシロキサン１００質量部、２−プロパノール４０質量部、下記一般式で表されるビニル価３．７４ｍｍｏｌ／ｇのポリオキシアルキレン化合物１８質量部、塩化白金酸の１−ブタノール溶液（白金３質量％）０．０１質量部を加え、８５℃にて６時間撹拌した。
【化２８】
0005841488.tif 000029
（Ｘ’＝  ＣＨ２＝Ｃ（ＣＨ３）−ＣＨ２−、Ｒ２＝  −Ｈ、Ｒ３＝  −ＣＨ２−ＣＨ３、ｓ＝  ５、ｔ＝  ０、ｚ＝  １）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００８８】
得られた反応混合物を減圧下、１１０℃で減圧ストリップすることにより、溶剤を取り除き、無色透明で粘度５６６０００ｍＰａ・ｓ（２５℃）、平均分子量が１０５５００の下記ポリオキシアルキレン変性オルガノポリシロキサンを得た。
【化２９】
0005841488.tif 000030
Ｒ２＝  −Ｈ
Ｒ３＝  −ＣＨ２−ＣＨ３
Ｘ＝  −ＣＨ２−ＣＨ（ＣＨ３）−ＣＨ２−
ｍ＝  ２８
ｓ＝  ５
ｔ＝  ０
ｚ＝  １
Ｒ４＝  下記一般式
【化３０】
0005841488.tif 000031
（Ｘ、Ｒ２、Ｒ３、ｓ，ｔ，ｚは上記と同じであり、Ｙ＝  ＣＨ２＝Ｃ（ＣＨ３）−ＣＨ２−）
【００８９】
（調製例５）
反応器に下記一般式
【化３１】
0005841488.tif 000032
で表される動粘度２４０ｍｍ２／ｓ（２５℃）のオルガノハイドロジェンポリシロキサン１５０質量部、トルエン５０質量部、下記一般式で表されるビニル価３．２８ｍｍｏｌ／ｇのポリオキシアルキレン化合物８４質量部、塩化白金酸のトルエン溶液（白金０．５質量％）０．０６質量部を加え、１１５℃にて５時間撹拌した。
【化３２】
0005841488.tif 000033
（Ｘ’＝  ＣＨ２＝ＣＨ−ＣＨ２−、Ｒ２＝  −Ｈ、Ｒ３＝  −ＣＨ２−ＣＨ３、ｓ＝  ９、ｔ＝  ０、ｚ＝  ０）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００９０】
得られた反応混合物を減圧下、１３０℃で減圧ストリップすることにより、溶剤を取り除き、無色透明で粘度３６０００ｍＰａ・ｓ（２５℃）、平均分子量が２６０００の下記ポリオキシアルキレン変性オルガノポリシロキサンを得た。
【化３３】
0005841488.tif 000034
Ｒ２＝  −Ｈ
Ｒ３＝  −ＣＨ２−ＣＨ３
Ｘ＝  −ＣＨ２−ＣＨ２−ＣＨ２−
ｍ＝  ７
ｓ＝  ９
ｔ＝  ０
ｚ＝  ０
Ｒ４＝  下記一般式
【化３４】
0005841488.tif 000035
（Ｘ、Ｒ２、Ｒ３、ｓ，ｔ，ｚは上記と同じであり、Ｙ＝  −ＣＨ−ＣＨ＝ＣＨ３）
【００９１】
（調製例６）
反応器に下記一般式
【化３５】
0005841488.tif 000036
で表される動粘度２５３０ｍｍ２／ｓ（２５℃）のオルガノハイドロジェンポリシロキサン３００質量部、２−プロパノール１００質量部、下記一般式で表されるビニル価６．６２ｍｍｏｌ／ｇのポリオキシアルキレン化合物２．９質量部、塩化白金酸の１−ブタノール溶液（白金３質量％）０．０５質量部を加え、８０℃にて６時間撹拌した。
【化３６】
0005841488.tif 000037
（Ｘ’＝  ＣＨ２＝ＣＨ−ＣＨ２−、Ｒ２＝  −Ｈ、Ｒ３＝  −ＣＨ２−ＣＨ３、ｓ＝  ２、ｔ＝  ０、ｚ＝  ０）
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００９２】
得られた反応混合物を減圧下、１１０℃で減圧ストリップすることにより、溶剤を取り除き、淡黄色透明で粘度１０４００００ｍＰａ・ｓ（２５℃）、平均分子量が５６００００の下記ポリオキシアルキレン変性オルガノポリシロキサンを得た。
【化３７】
0005841488.tif 000038
Ｒ１＝  −ＣＨ３
Ｒ２＝  −Ｈ
Ｒ３＝  −ＣＨ２−ＣＨ３
Ｘ＝  −ＣＨ２−ＣＨ２−ＣＨ２−
ｎ＝  ４９８
ｍ＝  １４
ｓ＝  ２
ｔ＝  ０
ｚ＝  ０
Ｒ４＝  下記一般式
【化３８】
0005841488.tif 000039
（Ｘ、Ｒ２、Ｒ３、ｓ，ｔ，ｚは上記と同じであり、Ｙ＝  −ＣＨ−ＣＨ＝ＣＨ３）
【００９３】
（比較調製例１）
反応器に下記一般式
【化３９】
0005841488.tif 000040
で表される動粘度１７ｍｍ２／ｓ（２５℃）のオルガノハイドロジェンポリシロキサン１００質量部、２−プロパノール３０質量部、下記一般式で表されるビニル価３．９２ｍｍｏｌ／ｇのポリオキシアルキレン化合物３５質量部、塩化白金酸の１−ブタノール溶液（白金３質量％）０．０１質量部を加え、８０℃にて４時間撹拌した。
【化４０】
0005841488.tif 000041
これらの反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【００９４】
得られた反応混合物を減圧下、１２０℃で減圧ストリップすることにより、溶剤を取り除き、無色透明で粘度１２０００ｍＰａ・ｓ（２５℃）、平均分子量が１６０００のポリオキシアルキレン変性オルガノポリシロキサンを得た。
【００９５】
（実施例１〜４及び比較例１〜６）
常法により、上記で調製例１、３、４及び比較調製例１で調製したポリオキシアルキレン変性オルガノポリシロキサンを用い、下記表１に示す組成（質量％）の本発明及び比較用の油中水型乳液を調製した（実施例１〜４、比較例１〜６）。得られた乳液について、下記方法で評価を行った。結果を下記表１に示す。
【００９６】
（評価方法）
表１に示す乳液の５０℃１ヶ月後、及び３ヶ月後の乳化安定性を目視にて評価した。
評価基準は下記に示す
◎：分離なし
○：上層に僅かに分離あり
△：上層分離
×：上下層分離
【００９７】
さらに、乳液調製後、皮膚に２ｇ塗付し、十分に馴染ませ、評価を行った。べたつきのなさ、塗布時の軽さ、伸びの良さについて官能評価した。５人のパネラーのうち、「効果がある」と回答したパネラーの人数により、下記の評価基準で示す。
評価基準
◎：４〜５人が効果あると回答
○：３人が効果あると回答
△：２人が効果あると回答
×：効果あると回答したのは１人または０人
【００９８】
【表１】
0005841488.tif 000042
【００９９】
表１に示された結果により、実施例１〜４の乳液は比較例１〜６の乳液に比べ、乳化経時安定性が高く、べたつきのない、伸びの良い、軽い感触の化粧料であった。
【０１００】
以下、常法により、各種化粧料を調製し、官能評価を行った。
（実施例５）ヘアトリートメント
組成                                                              質量％
オクタデシルオキシ（２−ヒドロキシプロピル）ジメチルアミン        ０．５
ステアリン酸ジメチルアミノプロピルアミド                          ２．０
ステアリルアルコール                                              ５．０
ジプロピレングリコール                                            １．０
ベンジルアルコール                                                ０．５
フェノキシエタノール                                              ０．１
調製例６のポリオキシアルキレン変性オルガノポリシロキサン          ２．５
高重合ジメチルポリシロキサン（※）                                ０．５
グリセリン                                                        ５．０
ポリプロピレングリコール                                          ２．５
ラノリン脂肪酸                                                    ０．５
ヒマワリ油                                                        ０．５
乳酸                                                              １．５
香料                                                              ０．４
水酸化ナトリウム                                                  ０．１
イオン交換水                                                        残量
※    ＫＦ−９６Ｈ  １０００００ｃｓ（信越化学工業（株））
【０１０１】
得られたヘアトリートメントは、経時による変化がなく、べたつきがなく、滑らかで、柔らかさ、櫛通り感も良好であった。
【０１０２】
（比較例７）ヘアトリートメント
組成                                                              質量％
オクタデシルオキシ（２−ヒドロキシプロピル）ジメチルアミン        ０．５
ステアリン酸ジメチルアミノプロピルアミド                          ２．０
ステアリルアルコール                                              ５．０
ジプロピレングリコール                                            １．０
ベンジルアルコール                                                ０．５
フェノキシエタノール                                              ０．１
比較調製例１のポリオキシアルキレン変性オルガノポリシロキサン      ２．５
高重合ジメチルポリシロキサン（※）                                ０．５
グリセリン                                                        ５．０
ポリプロピレングリコール                                          ２．５
ラノリン脂肪酸                                                    ０．５
ヒマワリ油                                                        ０．５
乳酸                                                              １．５
香料                                                              ０．４
水酸化ナトリウム                                                  ０．１
イオン交換水                                                        残量
※    ＫＦ−９６Ｈ  １０００００ｃｓ（信越化学工業（株））
【０１０３】
得られたヘアトリートメントは、経時でエマルション粒径が変化し、塗布時のべたつきを感じ、櫛通り感が良好ではなかった。
【０１０４】
（実施例６）口紅  
（成分）
組成                                                              質量％
キャンデリラワックス                                              ８．０
ポリエチレンワックス                                              ８．０
長鎖アルキル含有アクリルシリコーン樹脂（※１）                  １２．０
メチルフェニルポリシロキサン（※２）                              ３．０
イソノナン酸イソトリデシル                                      ２０．０
イソステアリン酸グリセリル                                      １６．０
調製例４のポリオキシアルキレン変性オルガノポリシロキサン          １．０
オクタデシルジメチルベンジルアンモニウム塩変性モンモリナイト      ０．５
トリイソステアリン酸ポリグリセリル                              ２７．０
シリコーン処理赤色２０２（※３）                                  ０．８
シリコーン処理ベンガラ（※３）                                    １．３
シリコーン処理黄酸化鉄（※３）                                    １．０
シリコーン処理黒酸化鉄（※３）                                    ０．２
シリコーン処理酸化チタン（※３）                                  １．０
防腐剤                                                            ０．１
香料                                                              ０．１
※１  長鎖アルキル含有アクリルシリコーン樹脂：ＫＰ−５６１Ｐ（信越化学工業（株）製の商品名）
※２  メチルフェニルポリシロキサン：ＫＦ−５４（信越化学工業（株）製の商品名）
※３  アクリル−シリコーン系グラフト共重合体処理：ＫＰ−５４１（信越化学工業（株）製の商品名）
【０１０５】
得られた口紅は、経時の変化がなく、表面のツヤがあり、のびが軽くて油っぽさや粉っぽさがない上、さっぱりとした使用感を与えるものであった。また、耐水性や撥水性、化粧持ちも良好であった。
【０１０６】
（実施例７）アイライナー
（成分）
組成                                                              質量％
デカメチルシクロペンタシロキサン                                ２２．０
ジメチルポリシロキサン（６ｍｍ２／秒）                            ５．０
黒酸化鉄                                                        ２０．０
ビタミンＥアセテート                                              ０．２
ホホバ油                                                          ２．０
ベントナイト                                                      ３．０
調製例２のポリオキシアルキレン変性オルガノポリシロキサン          ２．０
エタノール                                                      １０．０
１，３−ブチレングリコール                                      １０．０
防腐剤                                                            ０．１
香料                                                              ０．１
精製水                                                              残量
【０１０７】
得られたアイライナーは、伸びが軽くて描きやすく、清涼感があってさっぱりとしてべたつきがない使用感で、温度や経時による変化もなく、使用性も安定性も非常に優れており、耐水性、耐汗性は共に優れ、化粧持ちも非常に良いことが確認された。
【０１０８】
（実施例８）乳液 
（成分）
組成                                                              質量％
デカメチルシクロペンタシロキサン                                １５．０
メチルフェニルポリシロキサン                                      ５．０
スクワレン                                                        ５．０
テトラ−２−エチルヘキサン酸ペンタエリスリトール                  ５．０
調製例１のポリオキシアルキレン変性オルガノポリシロキサン          ３．０
オルガノポリシロキサンエラストマー球状粉体（※１）                ２．０
疎水化シリカ（※２）                                              ０．５
アスコルビン酸リン酸マグネシウム                                  １．０
塩化ナトリウム                                                    １．０
ポリエチレングリコール１１０００                                  １．０
プロピレングリコール                                              ８．０
防腐剤                                                            ０．１
香料                                                              ０．１
精製水                                                              残量
※１  オルガノポリシロキサンエラストマー球状粉体：ＫＭＰ−５９０（信越化学工業（株）社製）
※２  疎水化シリカ：アエロジルＲ９７２（日本アエロジル社製）
【０１０９】
得られた乳液は、のび広がりも軽く、さらっとしてべたつきがなく、温度や経時による変化もない、使用性も安定性も非常に優れていることが確認された。
【０１１０】
（実施例９）Ｏ／Ｗ型クリーム
（成分）
組成                                                              質量％
架橋型ジメチルポリシロキサン（※１）                              ８．０
架橋型メチルフェニルポリシロキサン（※２）                        ２．０
イソノナン酸イソトリデシル                                        ５．０
ジプロピレングリコール                                            ７．０
グリセリン                                                        ５．０
メチルセルロース（２％水溶液）（※３）                            ７．０
ポリアクリルアミド系乳化剤（※４）                                ２．０
調製例２のポリオキシアルキレン変性オルガノポリシロキサン          ０．５
グアニン                                                          １．０
防腐剤                                                            ０．１
香料                                                              ０．１
精製水                                                              残量
※１  架橋型ジメチルポリシロキサン：ＫＳＧ−１６（信越化学工業（株）社製）
※２  架橋型メチルフェニルポリシロキサン：ＫＳＧ−１８（信越化学工業（株）社製）
※３  メチルセルロース：メトローズＳＭ−４０００（信越化学工業（株）社製）
※４  ポリアクリルアミド系乳化剤：セピゲル３０５（ＳＥＰＩＣ社製）
【０１１１】
得られたクリームは、キメが細かく、のび広がりが軽くてべたつきや油っぽさがない上しっとりとしてみずみずしく、さっぱりとした使用感を与えると共に化粧持ちも非常に良く、温度変化や経時による変化がなく安定性に優れているＯ／Ｗ型クリームであることが確認された。
【０１１２】
（実施例１０）パウダーファンデーション
（成分）
組成                                                              質量％
ワセリン                                                          ２．５
スクアラン                                                        ３．０
調製例４のポリオキシアルキレン変性オルガノポリシロキサン          ０．５
トリオクタン酸グリセリル                                          ２．０
シリコーン処理マイカ（※１）                                    ４０．０
シリコーン処理タルク（※１）                                        残量
シリコーン処理酸化チタン（※１）                                １０．０
シリコーン処理微粒子酸化チタン（※１）                            ５．０
シリコーン処理硫酸バリウム（※１）                              １０．０
フェニル変性ハイブリッドシリコーン複合粉体（※２）                ２．０
シリコーン粉体（※３）                                            ２．５
防腐剤                                                            ０．１
香料                                                              ０．１
※１  アクリル−シリコーン系グラフト共重合体処理：ＫＰ−５４１（信越化学工業（株）製の商品名）
※２  フェニル変性ハイブリッドシリコーン複合粉体：ＫＳＰ−３００（信越化学工業（株）社製）
※３  シリコーン粉体：ＫＭＰ−５９０（信越化学工業（株）社製）
【０１１３】
得られたパウダーファンデーションは、べたつきがなく、のび広がりも軽く、しかも、密着感に優れ、化粧持ちの優れる、つやのある仕上がりが得られるパウダーファンデーションであることが確認された。
【０１１４】
（実施例１１）サンカットクリーム
（成分）
組成                                                              質量％
デカメチルシクロペンタシロキサン                                １７．５
アクリル−シリコーン系グラフト共重合体（※１）                  １２．０
調製例４のポリオキシアルキレン変性オルガノポリシロキサン          １．０
トリイソオクタン酸グリセリル                                      ５．０
ポリエーテル架橋型ジメチルポリシロキサン（※２）                  ５．０
親油化処理酸化亜鉛                                              ２０．０
塩化ナトリウム                                                    ０．５
１．３−ブチレングリコール                                        ２．０
防腐剤                                                            ０．１
香料                                                              ０．１
精製水                                                              残量
※１  アクリル−シリコーン系グラフト共重合体処理：ＫＰ−５４５（信越化学工業（株）製）
※２  ポリエーテル架橋型ジメチルポリシロキサン：ＫＳＧ−２１０（信越化学工業（株）社製）
【０１１５】
得られたサンカットクリームは、べたつきがなく、のび広がりも軽く、密着感を与えた。経時変化も無く、皮膚上での紫外線効果も持続することが確認された。
【０１１６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。